【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
装置であって、
前記装置の動作モードに少なくとも部分的に基づいて、第１の補正サブモジュールを介して第１の送信通信信号を変更するために補正信号の第１の部分を生成するための手段と、
制御ブロックを介してモード制御信号を生成するための手段と、
第２の送信通信信号および前記モード制御信号に少なくとも部分的に基づいて、前記第１の補正サブモジュールを制御するためにサブモジュール設定を分析ユニットを介して決定するための手段と
を備える装置。
【請求項２】
前記第１の送信通信信号が第１の送信機のためのデジタルベースバンド信号であり、前記第２の送信通信信号が第２の送信機のためのデジタルベースバンド信号である、請求項１に記載の装置。
【請求項３】
複数の通信信号から前記第２の送信通信信号を選択するための手段
をさらに備える、請求項１に記載の装置。
【請求項４】
前記補正信号が、前記第１の送信通信信号に関連する相互変調ひずみを減衰させるように構成された、請求項１に記載の装置。
【請求項５】
前記補正信号が、前記第１の送信通信信号を等化するように構成された、請求項１に記載の装置。
【請求項６】
前記補正信号が、前記第１の送信通信信号を予歪するように構成された、請求項１に記載の装置。
【請求項７】
第２の補正サブモジュールを介して前記第１の送信通信信号を変更するために前記補正信号の第２の部分を生成するための手段
をさらに備える、請求項１に記載の装置。
【請求項８】
補正信号の第１の部分を前記生成するための手段が、
前記第２の送信通信信号に関連する位相を変更することと、
前記第２の送信通信信号に関連する時間を変更することと、
前記第２の送信通信信号に関連する振幅を変更することと
を行うようにさらに構成された、請求項１に記載の装置。
【請求項９】
分析ユニットを介してサブモジュール設定を前記決定するための手段が、前記第２の送信通信信号を分析することに基づいて初期補正サブモジュール設定を決定するようにさらに構成された、請求項１に記載の装置。
【請求項１０】
前記第１の補正サブモジュールが、前記モード制御信号に少なくとも部分的に基づいて、相互変調消去、デジタル送信信号の等化、およびデジタル送信信号の予歪から成るグループから選択される少なくとも１つの動作を実行するように構成された、請求項１に記載の装置。
【請求項１１】
前記モード制御信号が、アグレッサ信号およびビクティム信号から成るグループから選択される少なくとも１つの信号に基づく、請求項１に記載の装置。
【請求項１２】
装置のプロセッサによって実行されたとき、前記装置に、
第１の補正サブモジュールによって、前記装置の動作モードに少なくとも部分的に基づいて、第１の送信通信信号を変更するために補正信号の第１の部分を生成することと、
制御ブロックによって、モード制御信号を生成すること、
分析ユニットによって、第２の送信通信信号および前記モード制御信号に少なくとも部分的に基づいて、前記第１の補正サブモジュールを制御するためにサブモジュール設定を決定することと
を行わせる命令を記憶する非一時的コンピュータ可読媒体。
【手続補正２】
【補正対象書類名】明細書
【補正対象項目名】００８０
【補正方法】変更
【補正の内容】
【００８０】
[0091]上記の明細書では、本実施形態が、それの特定の例示的な実施形態を参照しながら説明された。しかしながら、添付の特許請求の範囲に記載された本開示のより広い範囲から逸脱することなく、様々な改変および変更がそれに行われ得ることは明らかであろう。したがって、本明細書および図面は、限定的な意味ではなく例示的な意味で考慮されるべきである。
以下に本願の出願当初の特許請求の範囲に記載された発明を付記する。
［Ｃ１］
第１の送信通信信号を変更するために補正信号の第１の部分を生成するように構成された第１の補正サブモジュールと、
第２の送信通信信号に基づいて、前記第１の補正サブモジュールを制御するためにサブモジュール設定を決定するように構成された分析ユニットと
を備える装置。
［Ｃ２］
前記第１の送信通信信号が第１の送信機のためのデジタルベースバンド信号であり、前記第２の送信通信信号が第２の送信機のためのデジタルベースバンド信号である、Ｃ１に記載の装置。
［Ｃ３］
複数の通信信号から前記第２の送信通信信号を選択するように構成された入力セレクタをさらに備える、Ｃ１に記載の装置。
［Ｃ４］
前記補正信号が、前記第１の送信通信信号に関連する相互変調ひずみを減衰させるように構成された、Ｃ１に記載の装置。
［Ｃ５］
前記補正信号が、前記第１の送信通信信号を等化するように構成された、Ｃ１に記載の装置。
［Ｃ６］
前記補正信号が、前記第１の送信通信信号を予歪するように構成された、Ｃ１に記載の装置。
［Ｃ７］
前記第１の補正サブモジュールが、前記装置の動作モードに基づいて前記補正信号の前記第１の部分を生成するように構成された、Ｃ１に記載の装置。
［Ｃ８］
前記装置の前記動作モードに基づいてモード制御信号を生成するための制御ブロックをさらに備える、Ｃ７に記載の装置。
［Ｃ９］
前記第１の送信通信信号を変更するために前記補正信号の第２の部分を生成するように構成された第２の補正サブモジュール
をさらに備える、Ｃ１に記載の装置。
［Ｃ１０］
前記第１の補正サブモジュールが、
前記第２の送信通信信号に関連する位相を変更することと、
前記第２の送信通信信号に関連する時間を変更することと、
前記第２の送信通信信号に関連する振幅を変更することと
を行うようにさらに構成された、Ｃ１に記載の装置。
［Ｃ１１］
前記分析ユニットが、前記装置の動作モードに基づいて前記第１の補正サブモジュールのためのモジュール設定を決定するように構成された、Ｃ１に記載の装置。
［Ｃ１２］
前記分析ユニットが、前記第２の送信通信信号を分析することに基づいて初期補正サブモジュール設定を決定するようにさらに構成された、Ｃ１に記載の装置。
［Ｃ１３］
第１の補正サブモジュールを介して第１の送信通信信号を変更するために補正信号の第１の部分を生成するための手段と、
第２の送信通信信号に基づいて、前記第１の補正サブモジュールを制御するためにサブモジュール設定を決定するための手段と
を備える装置。
［Ｃ１４］
前記第１の送信通信信号が第１の送信機のためのデジタルベースバンド信号であり、前記第２の送信通信信号が第２の送信機のためのデジタルベースバンド信号である、Ｃ１３に記載の装置。
［Ｃ１５］
複数の通信信号から前記第２の送信通信信号を選択するための手段
をさらに備える、Ｃ１３に記載の装置。
［Ｃ１６］
前記補正信号が、前記第１の送信通信信号に関連する相互変調ひずみを減衰させるように構成された、Ｃ１３に記載の装置。
［Ｃ１７］
前記補正信号が、前記第１の送信通信信号を等化するように構成された、Ｃ１３に記載の装置。
［Ｃ１８］
前記補正信号が、前記第１の送信通信信号を予歪するように構成された、Ｃ１３に記載の装置。
［Ｃ１９］
前記補正信号の前記第１の部分が前記装置の動作モードに基づく、Ｃ１３に記載の装置。
［Ｃ２０］
装置のプロセッサによって実行されたとき、前記装置に、
第１の補正サブモジュールによって、第１の送信通信信号を変更するために補正信号の第１の部分を生成することと、
分析ユニットによって、第２の送信通信信号に基づいて、前記第１の補正サブモジュールを制御するためにサブモジュール設定を決定することと
を行わせる命令を記憶する非一時的コンピュータ可読媒体。